(57)【要約】【課題】画像表示装置の周辺部の壁面などに、画像表示装置の画面上に表示されている画像とは異なる第２画像を投影する画像表示システムを提供する。【解決手段】壁掛け型テレビ受像機などの画像表示装置１と、小型のプロジェクタ又はピコプロジェクタを備えた携帯端末装置などの画像投影装置２で構成され、画像表示装置１は、デコードしたテレビ放送信号から映像データ、音声データ及び文字データなどその他の補助データを抽出し、補助データを画像投影装置２に送信する。画像投影装置２は、補助データが表示可能なものである場合、受信した補助データから投影画像データを作成し、画像表示装置１の背部の壁又はスクリーン３上の所望する位置に第２画像７を投影する。ユーザ４は、画像表示装置１の画面上に表示された第１画像６の全体を、文字などで遮られることなく見ることができ、目を動かすことなく第１画像６と第２画像７の両方を同時に見ることができる。【選択図】図１
2014107608.tif 000002
【特許請求の範囲】
【請求項１】
チューナで受信したテレビジョン放送信号又は第１外部装置又は内蔵記憶装置から入力された外部入力信号から抽出された映像データを用いて、ディスプレイ画面上に第１画像を表示する画像表示部と、
前記第１画像とは異なる第２画像を前記ディスプレイ画面の背部の所定の領域に投影するために、所定の補助データを画像投影装置に出力する画像データ出力部とを備えた画像表示装置。
【請求項２】
前記補助データは、前記テレビジョン放送信号又は前記外部入力信号から抽出した前記映像データ以外の表示可能なデータであることを特徴とする請求項１に記載の画像表示装置。
【請求項３】
前記補助データは、前記第１外部装置又は内蔵記憶装置から入力された画像データであることを特徴とする請求項１に記載の画像表示装置。
【請求項４】
請求項１乃至請求項３のいずれか一項に記載の画像表示装置から入力された前記補助データ又は第２外部装置から入力された画像データを用いて、投影画像データを作成する投影画像データ作成部と、
前記投影画像データを用いて前記第２画像を前記所定の領域に投影する投影部とを備えた画像投影装置。
【請求項５】
前記所定の領域に投影される前記第２画像の歪みを補正するための補正条件を入力するための補正条件入力部を備え、
前記投影画像データ作成部は、前記補正条件に基づいて、前記投影画像データ及びその後に投影する第２画像用の投影画像データを補正することを特徴とする請求項４に記載の画像投影装置。
【請求項６】
前記補正条件入力部は、前記画像表示部に表示されている画像上の前記画像表示装置の画面の範囲を指定可能であり、
前記投影画像データ作成部は、前記投影画像データ及びその後に投影する第２画像用の投影画像データから、前記画像表示装置の画面に相当する部分の画像データを削除して前記投影部に出力することを特徴とする請求項５に記載の画像投影装置。
【請求項７】
前記所定の領域を含む画像を撮像する撮像部と、
前記撮像部によって撮像された画像から前記画像表示装置の画面の範囲をさらに認識する特定画像認識部をさらに備え、
前記投影画像データ作成部は、前記投影画像データから前記画像表示装置の画面の範囲に相当する画像データを削除して前記投影部に出力することを特徴とする請求項４に記載の画像投影装置。
【請求項８】
前記所定の領域を含む画像を撮像する撮像部と、
前記撮像部により撮像された画像のデータと前記投影画像データとを比較して、前記撮像部により撮像された画像中の前記第２画像を認識し、前記第２画像に相当する部分の画像データを抽出する特定画像認識部を備え、
前記投影画像データ作成部は、抽出された第２画像に相当する部分の画像データを用いて前記第２画像の歪みを演算し、前記投影画像データ及びその後に投影する第２画像用の投影画像データを補正することを特徴とする請求項４に記載の画像投影装置。
【請求項９】
前記特定画像認識部は前記所定の領域の背景色を測定し、
前記投影画像データ作成部は、前記背景色に応じて前記投影画像データの色調整を行うことを特徴とする請求項４乃至請求項８のいずれか一項に記載の画像投影装置。
【請求項１０】
請求項１乃至請求項３のいずれか一項に記載した画像表示装置と、請求項４乃至請求項９のいずれか一項に記載した画像投影装置を備えた画像表示システム。
【請求項１１】
チューナで受信したテレビジョン放送信号又は第１外部装置又は内蔵記憶装置から入力された外部入力信号から抽出された映像データを用いて、ディスプレイ画面上に第１画像を表示し、
前記チューナで受信したテレビジョン放送信号又は前記第１外部装置又は内蔵記憶装置から入力された外部入力信号から抽出された前記映像データ以外の画像表示可能なデータ又は第２外部装置から入力された画像データを用いて、前記第１画像とは異なる第２画像を前記ディスプレイ画面の背部の所定の領域に投影する画像表示方法。
【発明の詳細な説明】
【技術分野】
【０００１】
本発明は、例えば壁掛け型テレビジョン受像機などの画像表示装置の周辺部の壁面などに、画像表示装置の画面上に表示されている第１画像（主画像）とは異なる第２画像（副画像）を投影するための画像表示装置、画像投影装置、画像表示システム及び画像表示方法に関する。
【背景技術】
【０００２】
通常、Closed Captionなどの文字情報は、テレビジョン（以下、「テレビ」と略称する）受像機などの画面上で、主画像（主として映像）の上に重ねて表示されるため、主画像の一部が文字の下の隠れてしまう。画面上に表示されている主画像の内容によっては、視聴者は文字の下に隠された画像が何であったのか気になる場合もあり、視聴者に不満を抱かせる原因となる。また、データ放送を視聴する場合、主画像が縮小され、画面上の余白部分に文字情報などが表示されるが、主画像が表示される面積が小さくなると、主画像に迫力がなくなるなど、視聴者に不満を抱かせる原因となる。なお、「映像」とは動画を意味し、「画像」とは動画及び静止画の両方を含むものとする。
【０００３】
特許文献１は劇場公演などのライブ上演に関し、特に外国語や古語で上演される演劇などにおいて、観客の所有する携帯端末装置に翻訳情報や解説情報を送信し、携帯端末装置の画面上に翻訳情報や解説情報を表示するシステムが提案されている。このシステムを応用して、テレビ受像機において、受信したテレビ放送信号から文字情報など、主画像情報以外を抽出して視聴者が保持する携帯端末装置に送信し、携帯端末装置の画面上に文字情報などを表示することも考えられる。それによって、視聴者は、主画像が縮小されることなくテレビ番組などを視聴しつつ、文字情報などを取得することができる。
【０００４】
ところが、視聴者はテレビ受像機の画面上に表示されている主画像を見ながら、同時に携帯端末装置の画面上の文字情報などを見ることはできず、テレビ受像機の画面上と携帯端末装置の画面上の間で頻繁に目を移動させなければならない。その結果、テレビ番組などの視聴に集中することができなかったり、目が疲労したりする原因となる。
【０００５】
一方で、ユーザは、テレビ受像機の画面上に自身が撮影した画像を再生したり、ゲームのモニタ装置として使用したりする。あるいは、テレビ受像機にカラオケ演奏装置を接続して使用したりもする。そのような場合に、部屋の雰囲気をテレビ受像機の画面上に表示されている画像に合わせて変更できれば、より効果的・印象的である。
【先行技術文献】
【特許文献】
【０００６】
【特許文献１】特開２００７−２３６７１１号公報
【発明の概要】
【発明が解決しようとする課題】
【０００７】
本発明は、上記従来例の問題を解決するためになされたものであり、画像表示装置の周辺部の壁面などに、画像表示装置の画面上に表示されている第１画像とは異なる第２画像を投影するための画像表示装置、画像投影装置、画像表示システム及び画像表示方法を提供することを目的とする。
【課題を解決するための手段】
【０００８】
上記目的を達成するために、本発明の画像表示装置は、チューナで受信したテレビジョン放送信号又は第１外部装置又は内蔵記憶装置から入力された外部入力信号から抽出された映像データを用いて、ディスプレイ画面上に第１画像を表示する画像表示部と、前記第１画像とは異なる第２画像を前記ディスプレイ画面の背部の所定の領域に投影するために、所定の補助データを画像投影装置に出力する画像データ出力部とを備えている。そのため、この画像表示装置にプロジェクタなどの画像投影装置を接続すれば、例えば映画の字幕などの文字情報を画像表示装置のディスプレイ画面上ではなく、背部の壁面やスクリーンなどに投影することができる。それによって、画像表示装置の画面上の第１画像（主画像）が第２画像（字幕など）によって遮られることはない。また、ユーザは、画像表示装置の画面上の第１画像と背部の壁やスクリーンに表示される第２画像を、目を動かすことなく同時に視認することができる。
【０００９】
前記補助データは、前記テレビジョン放送信号又は前記外部入力信号から抽出した前記映像データ以外の表示可能なデータであることが好ましい。すなわち、第２画像として、上記字幕の他、クイズ番組の問題、気象情報や緊急速報などを第２画像として画像表示装置のディスプレイ画面以外の部分に表示することができる。
【００１０】
前記補助データは、前記第１外部装置又は内蔵記憶装置から入力された画像データであることが好ましい。すなわち、ユーザが用意した任意の画像を第２画像として画像表示装置のディスプレイ画面以外の部分に表示することができる。
【００１１】
また、本発明に係る画像投影装置は、上記いずれかの画像表示装置から入力された前記補助データ又は第２外部装置から入力された画像データを用いて、投影画像データを作成する投影画像データ作成部と、前記投影画像データを用いて前記第２画像を前記所定の領域に投影する投影部とを備えている。すなわち、この画像投影装置は、有線又は無線通信を介して上記画像表示装置からの補助データを受信可能であり、その補助データを用いて第２画像を表示することができる。また、一般的なプロジェクタなどと同様に、第１外部装置又は内蔵記憶装置（例えばＤＶＤレコーダやブルーレイディスクレコーダなど）以外の第２外部装置（例えば、パーソナルコンピュータやメモリーカードなど）から入力された画像データを用いて第２画像を投影することも可能である。
【００１２】
画像投影装置は、前記所定の領域に投影される前記第２画像の歪みを補正するための補正条件を入力するための補正条件入力部を備え、前記投影画像データ作成部は、前記補正条件に基づいて、前記投影画像データ及びその後に投影する第２画像用の投影画像データを補正することが好ましい。それによって、例えばユーザの手動操作により、画像表示装置の背部の壁面やスクリーンに投影される第２画像の歪みを補正することができる。
【００１３】
また、前記補正条件入力部は、前記画像表示部に表示されている画像上の前記画像表示装置の画面の範囲を指定可能であり、前記投影画像データ作成部は、前記投影画像データ及びその後に投影する第２画像用の投影画像データから、前記画像表示装置の画面に相当する部分の画像データを削除して前記投影部に出力することが好ましい。それによって、画像表示装置のディスプレイ画面上に画像投影装置からの光が照射されることはなく、画像表示装置のディスプレイ画面上の第１画像の画質は低下しない。
【００１４】
画像投影装置は、前記所定の領域を含む画像を撮像する撮像部と、前記撮像部によって撮像された画像から前記画像表示装置の画面の範囲をさらに認識する特定画像認識部をさらに備え、前記投影画像データ作成部は、前記投影画像データから前記画像表示装置の画面の範囲に相当する画像データを削除して前記投影部に出力することが好ましい。この場合、ユーザは自分で画像表示装置の画面の範囲を指定する必要はなくなる。
【００１５】
また、前記所定の領域を含む画像を撮像する撮像部と、前記撮像部により撮像された画像のデータと前記投影画像データとを比較して、前記撮像部により撮像された画像中の前記第２画像を認識し、前記第２画像に相当する部分の画像データを抽出する特定画像認識部を備え、前記投影画像データ作成部は、抽出された第２画像に相当する部分の画像データを用いて前記第２画像の歪みを演算し、前記投影画像データ及びその後に投影する第２画像用の投影画像データを補正することが好ましい。この場合も、ユーザの手を煩わせることなく、自動的に画像の歪みを補正することができる。
【００１６】
また、前記特定画像認識部は前記所定の領域の背景色を測定し、前記投影画像データ作成部は、前記背景色に応じて前記投影画像データの色調整を行うことが好ましい。それによって、画像表示装置の背部の壁面やスクリーンの色に拘わらず、自然な色で第２画像を表示することができる。
【００１７】
本発明に係る画像表示システム上記いずれかの画像表示装置と画像投影装置を備えている。
【００１８】
また、本発明に係る画像表示方法は、チューナで受信したテレビジョン放送信号又は第１外部装置又は内蔵記憶装置から入力された外部入力信号から抽出された映像データを用いて、ディスプレイ画面上に第１画像を表示し、前記チューナで受信したテレビジョン放送信号又は前記第１外部装置又は内蔵記憶装置から入力された外部入力信号から抽出された前記映像データ以外の画像表示可能なデータ又は第２外部装置から入力された画像データを用いて、前記第１画像とは異なる第２画像を前記ディスプレイ画面の背部の所定の領域に投影する。
【発明の効果】
【００１９】
画像表示装置の背部に壁やスクリーンがあれば、画像投影装置によってその壁やスクリーンに、第２画像（副画像）、例えばClosed Captionなどの文字情報やその他の画像を表示することができる。そのため、ユーザは、画像表示装置の画面上に表示された第１画像（主画像）の全体を、文字などで遮られることなく見ることができる。また、ユーザは、ほとんど目を動かすことなく、第１画像と第２画像の両方を同時に見ることができる。一方、画像表示装置の画面上にユーザが自分で撮影した画像を第１画像として表示する場合、画像投影装置によってその壁やスクリーンに、第２画像として第１画像にあった画像を投影することにより、主画像の表示効果を高めることができる。
【図面の簡単な説明】
【００２０】
【図１】本発明の一実施形態に係る画像表示システムの使用状況を説明する図。
【図２】上記画像表示システムの第１構成例を示すブロック図。
【図３】上記画像表示システムの他の使用状況を説明する図。
【図４】上記画像表示システムの第２構成例を示すブロック図。
【図５】上記画像表示システムの第３構成例を示すブロック図。
【図６】上記画像表示システムのさらに他の使用状況を説明する図。
【図７】上記画像表示システムの動作を示すフローチャート。
【図８】上記第２構成例の場合の図７のフローチャートの続き。
【図９】上記第３構成例の場合の図７のフローチャートの続き。
【発明を実施するための形態】
【００２１】
本発明の一実施形態に係る画像表示装置、画像投影装置、画像表示システム及び画像表示方法について説明する。図１は、本実施形態に係る画像表示システムの使用状況を説明する図であり、例えば一般住宅のリビングルームなどを想定している。この画像表示システムは、例えば壁掛け型テレビ受像機などの画像表示装置１と、小型のプロジェクタ又はピコプロジェクタを備えた携帯端末装置などの画像投影装置２で構成されている。画像表示装置１の背部には、少なくとも画像投影装置２によって第２画像（副画像）が投影されるための壁又はスクリーン３が設けられている必要がある。この壁又はスクリーン３は、特に限定されないが、比較的明るい色で、且つ、無模様であることが好ましい。また、画像表示装置１とユーザ４の間には、画像投影装置２を設置するためのテーブル５などが設けられていることが好ましい。なお、以下の説明において、「画像」とは、動画や静止画など、撮像装置により撮像された画像の他、パーソナルコンピュータなどを用いて編集された文字や図形などを含むものとする。また、画像表示装置１のディスプレイ画面上に表示される第１画像（主画像）及び画像投影装置２によって壁又はスクリーン３上に投影される第２画像（副画像）は、必ずしも情報性を有していなくてもよい。
【００２２】
図２は、画像表示システムの第１構成例のブロック構成を示す。画像表示装置１は、チューナ１１を備えており、ユーザがテレビ放送番組を視聴する場合、アンテナ１０などを介してテレビ放送信号を受信する。チューナ１１で受信したテレビ放送信号は、デコーダ１２によってデコード（復号）される。データ抽出部１３は、デコードされたテレビ放送信号から映像データ、音声データ及び文字データなどその他の補助データを抽出し、それぞれ出力する。映像出力部１４は、データ抽出部１３により抽出された映像データを用いて、例えば液晶表示パネルなどのディスプレイ１５の画面上に、第１画像（主画像）６としてテレビ番組の映像を表示する。音声出力部１６は、データ抽出部１３により抽出された音声データを用いて、スピーカ１７から音声を出力する。補助データ出力部１８は、例えばBluetooth（登録商標）などの無線通信を介して第１通信部１９から補助データを画像投影装置２に送信する。
【００２３】
画像投影装置２は、画像表示装置１の第１通信部１９から送信される補助データを受信する第２通信部２１を備えている。第２通信部２１により受信された補助データは投影画像データ作成部２２に入力され、表示可能なデータである場合、投影画像データに加工されて投影部２３に出力される。投影部２３は、例えば光源と、マイクロミラーデバイスと、投影レンズなどで構成され、投影レンズの光軸方向に第２画像（副画像）７を投影する。通常、画像表示装置１の背部の壁又はスクリーン３上の所望する位置に第２画像７が投影されるように、ユーザが画像投影装置２の位置及び向きを調節する。
【００２４】
図１に示す画像表示システムの使用例では、ユーザ４は、例えば外国語で録音されたテレビ番組を視聴しており、画像表示装置１のディスプレイ画面上には第１画像として、字幕表示のない動画が表示され、日本語による字幕を第２画像７として壁又はスクリーン３に投影している状態を示している。この場合、画像表示装置１の画面を避けて、画像表示装置１の背部の壁又はスクリーン３上の任意の位置、例えば画像表示装置１の画面の上部に、第２画像７として字幕を投影すればよい。このように、画像表示装置１の背部の壁又はスクリーン３に対して、画像投影装置２によって第２画像７として、例えばClosed Captionなどの文字情報を表示するので、ユーザ４は、画像表示装置１の画面上に表示された第１画像６の全体を、文字などで遮られることなく見ることができる。また、ユーザ４は、ほとんど目を動かすことなく、第１画像６と第２画像７の両方を同時に見ることができる。
【００２５】
一般的に、プロジェクタなどを用いて垂直な壁又はスクリーンに画像を投影する場合、投影レンズの光軸が水平でなければ、壁又はスクリーンに投影された画像は歪む。しかしながら、図１に示す使用例のように、単に字幕だけを投影するのであれば、多少文字が歪んでいても読み取ることはできる。そのため、図１に示す使用例においては、画像投影装置２の画像データ作成部２２は、投影する第２画像７の歪みを補正する機能を有していなくてもよい。
【００２６】
図３は、本実施形態に係る画像表示システムの他の使用状況を示す。この場合、ユーザ４は、画像表示装置１の画面上に第１画像６としてテレビ番組を表示させて視聴しており、画像表示装置１の背部の壁又はスクリーン３には、第２画像７として、データ放送から気象情報などを抽出して表示させている。図１に示す使用例と異なり、第２画像７の表示面積が大きく、且つ、情報量も多いので、画像投影装置２により壁又はスクリーン３に投影される第２画像７の歪みを補正することが好ましい。
【００２７】
図４は、本実施形態に係る画像表示システムの第２構成例のブロック構成を示す。図４に示す第２構成例では、画像投影装置２は、さらに撮像部２４を備えており、例えば投影部２３によって壁又はスクリーン３上に投影された第２画像７を含む所定の領域の画像を撮像することができる。最初、投影画像データ作成部２２は、第２通信部２１が受信した補助データを用いて投影画像データを作成し、特に補正することなく投影部２３に出力する。投影部２３によって壁又はスクリーン３に投影される第２画像７は、壁又はスクリーン３と画像投影装置２の相対的な位置や向きに応じて歪みを生じている。投影部２３によって壁又はスクリーン３に第２画像７が投影されると、撮像部２４は、壁又はスクリーン３上に投影された第２画像７を含む所定の領域の画像を撮像する。
【００２８】
画像投影装置２は、この画像表示システム以外の用途にも使用できるように、例えばタッチパネルなどの入出力装置を備えている。そこで、入出力装置の画像表示部２６の画面上に、撮像部２４により撮像された画像を表示し、ユーザが入出力装置を補正条件入力部２７として操作して、手動操作により投影する第２画像７の歪みを補正するようにしてもよい。投影画像データ作成部２２は、ユーザにより入力された補正量に基づいて、投影部２３に出力される投影画像データを補正する。それによって、壁又はスクリーン３上に歪みなどのない又は歪みが低減された第２画像７が投影される。また、画像表示部２６の画面上に表示された画像上における画像表示装置１の画像の範囲を指定してもよい。投影画像データ作成部２２は、投影画像データを補正する際、投影画像データから画像表示装置１に相当する部分の画像データを削除する。それによって、画像表示装置１の画面上には、画像投影装置２の投影部２３から光が照射されず、画像表示装置１の画面上に表示される第１画像６の画質は劣化しない。
【００２９】
図５は、本実施形態に係る画像表示システムの第３構成例のブロック構成を示す。図４に示す第３構成例では、撮像部２４によって撮像された画像に含まれる特定の被写体の位置や大きさを認識する特定画像認識部２５をさらに備えている。特定画像認識部２５は、撮像部２４によって撮像された画像のデータと投影画像データ作成部２２により加工された投影画像データを比較し、投影部２３によって壁又はスクリーン３上に投影された第２画像を認識する（第２画像に相当する部分の画像データを抽出する）。そして、投影画像データ作成部２２は、特定画像認識部２５によって抽出された第２画像に相当する部分の画像データを用いて、壁又はスクリーン３上に投影された第２画像７の歪みなどを演算し、次に投影部２３に出力される投影画像データを補正する。例えば、投影部２３の投影レンズの光軸は水平であると仮定した場合に、壁又はスクリーン３上に投影される第２画像７が、撮像部２４によって撮像された画像に対して線対称に歪むように、画像データを補正する。それによって、壁又はスクリーン３上に歪みなどのない又は歪みが低減された第２画像７が投影される。
【００３０】
また、特定画像認識部２５は、撮像部２４によって撮像された画像のデータから、画像表示装置１の画像を認識する（画像表示装置１に相当する部分の画像データを抽出する）。そして、投影画像データ作成部２２は、投影画像データを補正する際、投影画像データから画像表示装置１に相当する部分の画像データを削除する。それによって、画像表示装置１の画面上には、画像投影装置２の投影部２３から光が照射されず、画像表示装置１の画面上に表示される第１画像６の画質は劣化しない。
【００３１】
図４又は図５に示すように、画像表示装置１及び画像投影装置２には、それぞれ第１外部装置３１及び第２外部装置３２が接続可能である。画像表示装置１の背部の壁又はスクリーン３上に第２画像７として投影される画像データは、テレビ放送信号から抽出された補助データには限られず、ユーザが任意に選択した画像を第２外部装置３２などから入力することも可能である。第２外部装置３２としては、例えばＵＳＢケーブルやBluetooth（登録商標）などを介して接続されたパーソナルコンピュータであってもよいし、あるいはメモリーカードなどであってもよい。投影画像データ作成部２２は、第２外部装置３２から入力された画像データを用いて、上記の要領で投影画像データを作成する。
【００３２】
図６は、本実施形態に係る画像表示システムのさらに他の使用状況を示す。この場合、画像表示装置１の画面上に表示されている第１画像６の内容に合わせて、部屋の雰囲気を変えることができる。例えば、画像表示装置１の画面上に宇宙関連のＳＦ映画が表示されているとして、部屋の照明を暗くし、画像表示装置１の背部の壁又はスクリーン３上に星などを第２画像７として投影することができる。それによって、視聴者は、自分自身が宇宙船を操縦しているような気分を味わうことができる。
【００３３】
また、画像表示装置１に接続される第１外部装置３１としては、ＤＶＤレコーダやブルーレイディスクレコーダ、ビデオカメラやディジタルスチルカメラ、パーソナルコンピュータやメモリーカードの他、カラオケ装置、インターネット用のルーターなども接続することができる。第１外部装置３１がＤＶＤレコーダやブルーレイディスクレコーダなどであって、第１外部装置３１にテレビ放送番組が録画されている場合は、チューナ１１でテレビ放送信号を受信する場合と同様に、第１外部装置３１から入力された外部入力信号（デコード済み）から字幕情報などを抽出して第２画像として投影することができる。また、画像表示装置１がＤＶＤレコーダやブルーレイディスクレコーダなどの記憶装置を内蔵している場合やインターネット回線を通じてテレビ放送信号を受信する場合も同様である。また、第１外部装置３１がビデオカメラやディジタルスチルカメラ、パーソナルコンピュータやメモリーカードなどであって、画像表示装置１の画面上にユーザが自分で撮影した画像を第１画像６として表示する場合、画像投影装置２によってその壁又はスクリーン３に、第２画像７として第１画像６にあった画像を投影することにより、第１画像６の表示効果を高めることができる。また、カラオケ装置として画像表示装置１に接続する場合、部屋の照明を暗くし、画像投影装置２によって画像表示装置１の背部の壁又はスクリーン３上にミラーボール及びそれによって反射された光などの画像を投影するようにしてもよい。さらに、画像表示装置１の画面上に第１画像６として静止画を表示する場合、ディジタルスチルカメラなどにより撮影されたときの撮影条件などを第２画像７として投影してもよい。
【００３４】
図７は、この画像表示システムの動作フローを示す。画像表示装置１を起動させると、画像表示装置１のデータ抽出部１３は、テレビ（ＴＶ）放送の受信か否かを判断する（＃１）。この判断は、ユーザ４による入力選択やチャンネル選択などによって判断することができる。テレビ放送を受信する場合は、チューナ１１で受信したテレビ放送信号をデコーダ１２でデコードして、データ抽出部１３に入力する（＃２）。一方、テレビ放送を受信しない場合は、通常、第１外部装置３１から出力されるデータは、第１外部装置３１側のデコーダによってデコードされているので、第１外部装置３１から出力されるデータを読み込み、そのままデータ抽出部１３に入力する（＃３）。データ抽出部１３は、入力されたデータから映像データ、音声データ及びこれら以外の補助データを抽出する（＃４）。そして、映像データを映像出力部１４に、音声データを音声出力部１６にそれぞれ出力する（＃５）。
【００３５】
さらに、全体制御部は、ユーザ４は第２画像７の表示を選択しているか否かを判断する（＃６）。ユーザ４が第２画像７の表示を選択している場合（＃６でＹＥＳ）、例えば、ステップ＃３で第１外部装置３１から読み込んだデータの記録時期が古く、文字情報などが含まれていない場合や画像として表示できないデータも含まれている可能性があるので、抽出された補助データは第２画像７として表示可能かどうか判断する（＃７）。補助データが第２画像７として表示可能なときは（＃７でＹＥＳ）、第１通信部１９から補助データを送信し（＃８）、第２通信部２１で補助データを受信する（＃９）。一方、ユーザ４が第２画像７の表示を選択しているにもかかわらず（＃６でＹＥＳ）、補助データが第２画像７として表示可能でないときは（＃７でＮＯ）、通常、ユーザ４が自分で第２画像７として投影する画像データを用意しているので、投影画像データ作成部２２は、第２外部装置３２から補助データを読み込む（＃１０）。なお、ユーザ４が第２画像７用の画像データを用意していないときは、投影画像データ作成部２２は、投影画像データを作成しない。投影画像データ作成部２２は、受信した補助データ又は読み込んだ補助データを用いて投影画像データを作成する（＃１１）。投影部２３は投影画像データを用いて壁又はスクリーン３上に第２画像７を投影する（＃１２）。図１に示すように、第２画像７として字幕を投影する場合は、第２画像７の投影（＃１２）と同期させて、ディスプレイ１５の画面上に第１画像６として映像を表示し、スピーカ１７から音声を出力する（＃１３）。また、図２に示す第１構成例のように、第２画像７の歪みを補正する機能を有していない場合は、Ａ１からＡ２に移行して、継続して第１画像６及び第２画像７の表示を行う。
【００３６】
図８は、図４に示す第２構成例のように、ユーザ４が手動操作により第２画像７の歪みを補正する機能を有している場合における、上記図７に示すフローの続きを示す。画像投影装置２側の投影画像データ作成部２２は、投影部２３により投影された第２画像７が最初のものであるか否かを判断し（＃１４）、最初のものであるときは（＃１４でＹＥＳ）、撮像部２４を駆動して、第２画像７を含む所定の領域の画像を撮像する（＃１５）。そして、画像表示部（タッチパネルなど）２６の画面上に、撮像部２４により撮像された画像を表示する（＃１６）。ここで、ユーザが補正条件入力部（タッチパネルなど）２７を操作して、手動操作により投影する第２画像の歪みを補正する条件を入力すると（＃１７でＹＥＳ）、投影画像データ作成部２２は補正条件を記憶すると共に（＃１８）、その補正条件に基づいて、投影部２３に出力される投影画像データを補正する（＃１９）。それによって、壁又はスクリーン３上に補正された歪みなどのない又は歪みが低減された第２画像７が投影される（＃２０）。また、ステップ＃１６において、画像表示部２６の画面上に表示された画像上における画像表示装置１の画面の範囲を指定してもよい。投影画像データ作成部２２は、ステップ＃１９において、投影画像データを補正する際、投影画像データから画像表示装置１の画面に相当する部分の画像データを削除する。それによって、画像表示装置１の画面上には、画像投影装置２の投影部２３から光は照射されない。
【００３７】
図９は、図５に示す第３構成例のように、自動的に第２画像７の歪みを補正する機能を有している場合における、上記図７に示すフローの続きを示す。画像投影装置２側の投影画像データ作成部２２は、投影部２３から統制された第２画像７が最初のものであるか否かを判断し（＃２４）、最初のものであるときは（＃２４でＹＥＳ）、撮像部２４を駆動して、第２画像７を含む所定の領域の画像を撮像する（＃２５）。特定画像認識部２５は、撮像された画像のデータと投影画像データを比較し（＃２６）、投影部２３によって壁又はスクリーン３上に投影された第２画像７を認識する（＃２７）。そして、投影画像データ作成部２２は、特定画像認識部２２により抽出された第２画像７に相当する部分の画像データを投影画像データと比較して第２画像７の歪みなどを演算し（＃２８）、補正条件を決定し、その補正条件を記憶する（＃２９）。そして、その補正条件に基づいて、投影部２３に出力される投影画像データを補正する（＃３０）。それによって、壁又はスクリーン３上に補正された歪みなどのない又は歪みが低減された第２画像７が投影される（＃３１）。また、特定画像認識部２５は、ステップ＃２７において、撮像部２４によって撮像された画像のデータから、画像表示装置１の画面の画像を認識するし、ステップ＃３０において、投影画像データを補正する際、投影画像データから画像表示装置１の画面に相当する部分の画像データを削除するように構成してもよい。
【００３８】
なお、本願発明は、上記実施形態の説明に限定されるものではなく、様々な変形が可能である。例えば撮像部２４により撮像した画像データから、画像表示装置１の背部の壁又はスクリーン３の色を測定し、第２画像７のホワイトバランスを調節するようにしても良い。それによって、画像表示装置の背部の壁面やスクリーン３の色に拘わらず、自然な色で第２画像を表示することができる。また、画像表示装置１と画像投影装置２の間の距離及び壁又はスクリーン３と画像投影装置２の間の距離を測定し、投影画像データから画像表示装置１の画面に相当する部分の画像データを削除する際に、これらの距離の比などを用いて画像データを削除する範囲を補正してもよい。さらに、第１外部装置３１としてインターホンを接続し、インターホンが操作されたときに、来訪者の存在をしめす情報を第２画像として表示するようにしてもよい。また、緊急速報があった場合にも、緊急速報に関する文字情報をテレビ放送信号から抽出して、背部の壁面やスクリーン３に投影するようにしてもよい。
【００３９】
また、上記実施形態において、画像表示装置１の第１通信部１９と画像投影装置２の第２通信部２１の間を無線通信により接続したが，ＵＳＢケーブルなどの有線により接続してもよい。また、第２画像として投影される画像は、字幕などの文字列や静止画に限定されず、動画であってもよい。また、歪み補正などが行われる投影画像データは、静止画の場合、当該投影画像データであるが、動画の場合、当該投影画像データ及びその後に投影する第２画像用の投影画像データであることはいうまでもない。さらに、画像投影装置２は、テーブルに載置するタイプのものに限定されず、天井から吊り下げるタイプのものであってもよい。
【符号の説明】
【００４０】
１  画像表示装置
２  画像投影装置
３  壁又はスクリーン
４  ユーザ
１１  チューナ
１２  デコーダ
１３  データ抽出部
１９  第１通信部
２１  第２通信部
２２  投影画像データ作成部
２３  投影部
２４  撮像部
２５  特定画像認識部
２６  画像表示部（入出力装置）
２７  補正条件入力部（入出力装置）
３１  第１外部装置
３２  第２外部装置
【図１】
2014107608.tif 000003
【図２】
2014107608.tif 000004
【図３】
2014107608.tif 000005
【図４】
2014107608.tif 000006
【図５】
2014107608.tif 000007
【図６】
2014107608.tif 000008
【図７】
2014107608.tif 000009
【図８】
2014107608.tif 000010
【図９】
2014107608.tif 000011